(57)【要約】【課題】段ボール印刷用の刷版の印版の材料を節約する。【課題を解決する手段】刷版１は、マウントフィルム２１の一方の面に印版２２を突設し、他方の面に可撓性及びクッション性を有する嵩上げシート３を取り付けて形成され、該嵩上げシート３の版胴４に接する面には、該面の縮みを吸収するための変形吸収隙間３１が均一分布に形成されている。嵩上げシート３の厚み分だけ印版２２の厚みを小さくできるため、印版２２を形成する高価な紫外線硬化性樹脂材料を節約できる。嵩上げシート３はクッション性を有しており、印版２２を薄くしても、段ボールへの加圧斑を可及的に小さくできる。【選択図】  図２
2004223863.tif 000002
【特許請求の範囲】
【請求項１】
版胴（４）に巻き付けてセットされ該版胴（４）と圧胴（５）との間に挟まって通過する段ボール（６）に印刷を行う刷版において、刷版（１）は、マウントフィルム（２１）の表側面に印版（２２）を突設し、裏面に可撓性及びクッション性を有する嵩上げシート（３）を取り付けて形成され、該嵩上げシート（３）の版胴（４）側の面に変形吸収隙間（３１）が均一分布に形成されている段ボール印刷用刷版。
【請求項２】
嵩上げシート（３）には、密なるピッチで突起（３２）が形成され、隣りあう突起（３２）（３２）間が変形吸収隙間（３１）となっている請求項１に記載の段ボール印刷用刷版。
【請求項３】
嵩上げシート（３）には、版胴（４）への巻き付け方向に直交する方向に向く多数の溝（３３）が開設され、各溝（３３）内が変形吸収隙間（３１）となっている請求項１に記載の段ボール印刷用刷版。
【請求項４】
マウントフィルム（２１）の表側面に印版（２２）を突設して形成した刷版本体（２）の裏面、又は、版胴（４）に取り付けて使用される刷版用嵩上げシート（３）であって、該嵩上げシート（３）の版胴（４）側の面には、均一分布に変形吸収隙間（３１）が形成されていることを特徴とする刷版用嵩上げシート。
【発明の詳細な説明】
【０００１】
【発明の属する分野】
本発明は、段ボール印刷用刷版及び該刷版用嵩上げシートに関するものである。
【０００２】
【従来の技術】
段ボール印刷用刷版は、紫外線硬化性樹脂にて形成した印版をマウントフィルム上に突設している。
図８に示す如く、刷版（１０）を段ボール印刷機の版胴（４）に巻き付けてセットし、該版胴（４）と圧胴（５）との間に挟まって通過する段ボール（６）に印刷を行う。
【０００３】
段ボール（６）の厚みは、Ａフルート、Ｂフルート、ダブルフルート等、段ボールの種類によって異なるため、段ボールの厚みに応じて版胴（４）と圧胴（５）との間の隙間幅を調整する。
【０００４】
【発明が解決しようとする課題】
図８に示す如く、刷版（１０）の厚みの大部分を占める印版（１０ａ）の材料である紫外線硬化性樹脂は高価であり、材料の節約、即ち印版（１０ａ）を薄くすることが要望されている。
しかし、印版（１０ａ）を薄くすることは印刷の出来映えに大きく影響する。
【０００５】
１枚の段ボールでも、厳密には厚みの大きい部分と小さい部分が存在し、同じ種類の段ボールであっても、製造ロット単位毎で段ボールの厚みは微妙に異なる。
又、刷版（１０）の印版（１０ａ）の高さにも、製造誤差が生じる。
段ボールの厚みの変化や、印版（１０ａ）高さ誤差は、印版（１０ａ）の弾性変形で吸収できる。しかし、印版（１０ａ）の厚みを薄くすれば、段ボールの厚みの変化や印版（１０ａ）の誤差を吸収できず、段ボールに対する印版（１０ａ）の加圧斑が生じて、印刷面に悪影響を及ぼす。
美粧印刷では、印版（１０ａ）の加圧斑が印刷の出来映えに大きく影響する。
【０００６】
そこで、図７に示す如く、刷版（１０）と版胴（４）との間に、クッション性を有する嵩上げシート（３）を介在させ、該嵩上げシート（３）の厚みに対応して印版（１０ａ）の厚みを小さくすることが実施されている。
【０００７】
ところが、刷版（１０）と版胴（４）との間に嵩上げシート（３）を介在させた場合、版胴（４）の回転毎に、嵩上げシート（３）には版胴（４）の回転方向とは反対方向にしごく力が作用し、嵩上げシート（３）の回転先端側と終端側とでは、厚みにいびつが生じる。
又、刷版（１０）を版胴（４）に巻き付ける際、厚みのある嵩上げシート（３）の版胴（４）側の面には該面方向に圧縮力が作用する。この圧縮力による嵩上げシート（３）の版胴側の面が縮む率が、嵩上げシート（３）自体の変形吸収限度を越えてしまい、該シートに部分的に膨らみや皺を生じることがある。このため、嵩上げシート（３）の全面を密着させて版胴（４）にセットすることができない場合が生じる。これでは版胴（４）の回転中心から印版（１０ａ）の印面までの距離にバラツキが生じて、印刷できる状態にはならない。
本発明は、上記問題を解決して印刷に悪影響を与えることなく、印版の厚みを小さくできる刷版を明らかにするものである。
【０００８】
【課題を解決する手段】
本発明の刷版（１）は、マウントフィルム（２１）の表側面に印版（２２）を突設し、裏面に可撓性及びクッション性を有する嵩上げシート（３）を取り付けて形成され、該嵩上げシート（３）の版胴（４）に接する面には、変形吸収隙間（３１）が均一分布に形成されている。
【０００９】
【作用及び効果】
嵩上げシート（３）の厚み分だけ印版（２２）の厚みを小さくできるため、印版（２２）を形成する材料を節約できる。
嵩上げシート（３）はクッション性を有しており、印版（２２）を薄くしても、段ボールの印刷面への加圧斑を可及的に小さくできる。
又、嵩上げシート（３）の良クッション性により、印版（２２）の段ボールに対する押圧が緩やかであり、薄手の段ボールに対しても、段崩れを生じることなく印刷できる。
【００１０】
刷版（１）を版胴（４）上に巻き付けて該刷版の両端を、版胴（４）上の公知の支持具（図示せず）によって巻き方向に保持する際、刷版（１）の厚みのある嵩上げシート（３）には、該シートの版胴（４）の面に縮み力が作用する。
又、印刷の際に版胴（４）が回転することにより、嵩上げシート（３）には版胴（４）の回転方向とは反対方向にしごく力が作用し、嵩上げシート（３）の回転先端側と終端側とでは、厚みにいびつが生じる。
上記、嵩上げシート（３）に作用する面方向の縮み力や、しごき力を、該嵩上げシート（３）の全面に均一分布に存在している変形吸収隙間（３１）が吸収して、嵩上げシート（３）に膨らみや皺の発生、又、厚みをいびつにすることを可及的に防止して、刷版（１）を版胴（４）にセットでき、美しい印刷を実現できるのである。
【００１１】
又、嵩上げシート（３）自体にも厚み誤差が生じているが、刷版（１）が段ボール（６）を加圧する際に、前記変形吸収隙間（３１）が嵩上げシート（３）の厚み誤差を吸収するため、嵩上げシート（３）の厚み誤差が印刷の出来映えに影響を与えることを防止できる。
又、本発明の刷版（１）は、印版（２）に嵩上げシート（３）を取り付けて形成されているから、使用毎に印版（２）と嵩上げシート（３）をセットする手間を省くことが出来、又、印版（２）と嵩上げシート（３）を一緒に吊して保管できるから、便利である。
【００１２】
【発明の実施の形態】
図１は、刷版（１）を構成する刷版本体（２）と嵩上げシート（３）を分離した状態を示している。
刷版本体（２）は、紫外線硬化性樹脂にて形成した印版（２２）をマウントフィルム（２１）上の表側面に突設して形成されている。
刷版本体（２）は、従来の刷版と同様の構成であるが、従来の刷版に較べて印版（２２）の厚みが小さくなっており、実施例では、マウントフィルム（２１）を含む刷版本体（２）の最大厚みは３ｍｍ程度である。
【００１３】
嵩上げシート（３）は、合成ゴム、天然ゴム、軟質合成樹脂等にて形成され、可撓性及びクッション性を有しており、厚みは４ｍｍ程度ある。
嵩上げシート（３）は、前記刷版本体（２）のマウントフィルム（２１）の裏面に取り付けられる。
嵩上げシート（３）はマウントフィルム（２１）に印された筺形状の輪郭を覆う大きさであり、嵩上げシート（３）の全面が接着剤にてマウントフィルム（２１）に貼着されている。
【００１４】
嵩上げシート（３）のマウントフィルム（２１）側とは反対側の面、即ち、嵩上げシート（３）を版胴（４）にセットする際に、版胴（４）に接する面に、均一分布に変形吸収隙間（３１）を形成している。該変形吸収隙間（３１）は、嵩上げシート（３）を版胴（４）の湾曲に沿わして巻き付けた際に、該面に作用する面方向への圧縮力を吸収する役割、及び、刷版（１）の際に、版胴（４）の回転に、嵩上げシート（３）に作用するしごき力を吸収する役割を成す。
【００１５】
実施例の嵩上げシート（３）は、全面に亘って縦横方向に密なるピッチで突起（３２）（３２）を有し、隣り合う突起（３２）（３２）間に変形吸収隙間（３１）形成している。各変形吸収隙間（３１）は連続している。
【００１６】
然して、本発明の刷版（１）は、嵩上げシート（３）の厚み分だけ印版（２２）の厚みを小さくできるため、印版（２２）を形成する高価な材料を節約できる。
嵩上げシート（３）はクッション性を有しており、印版（２２）を薄くしても、段ボールへの加圧斑を可及的に小さくできる。
【００１７】
嵩上げシート（３）の厚み分だけ印版（２２）の厚みを小さくできるため、印版（２２）を形成する材料を節約できる。
嵩上げシート（３）はクッション性を有しており、印版（２２）を薄くしても、段ボールの印刷面への加圧斑を可及的に小さくできる。
又、嵩上げシート（３）の良クッション性により、印版（２２）の段ボールに対する押圧が緩やかであり、薄手の段ボールに対しても、段崩れを生じることなく印刷できる。
【００１８】
刷版（１）を版胴（４）上に巻き付けて該刷版の両端を、版胴（４）上の公知の支持具（図示せず）によって巻き方向に保持する際、刷版（１）の厚みのある嵩上げシート（３）には、該シートの版胴（４）の面に縮み力が作用する。
又、印刷の際に版胴（４）が回転することにより、嵩上げシート（３）には版胴（４）の回転方向とは反対方向にしごく力が作用し、嵩上げシート（３）の回転先端側と終端側とでは、厚みにいびつが生じる。
【００１９】
上記、嵩上げシート（３）に作用する面方向の縮み力や、しごき力を、該嵩上げシート（３）の全面に均一分布に存在している変形吸収隙間（３１）が吸収して、嵩上げシート（３）に膨らみや皺の発生、又、厚みをいびつにすることを可及的に防止して、刷版（１）を版胴（４）にセットでき、美しい印刷を実現できるのである。
又、嵩上げシート（３）自体にも厚み誤差が生じているが、刷版（１）が段ボール（６）を加圧する際に、前記変形吸収隙間（３１）が嵩上げシート（３）の厚み誤差を吸収するため、嵩上げシート（３）の厚み誤差が印刷の出来映えに影響を与えることを防止できる。
【００２０】
図４、図５は、嵩上げシート（３）の他の実施例を示し、図４の嵩上げシート（３）は、版胴（４）との接触面に、版胴（４）への巻き方向と直交して延びる多数の溝（３３）（３３）を等間隔に形成し、各溝（３３）内を変形吸収隙間（３１）となしている。
図５の嵩上げシート（３）は、フィルム（３４）に多数のバー状の嵩上げ部材（３５）を等間隔に接合し、隣合う嵩上げ部材（３５）（３５）間に変形吸収隙間（３１）を形成している。嵩上げ部材（３５）及び際は、嵩上げシート（３）の版胴（４）への巻き方向に直交して延びているのは勿論である。
【００２１】
図６は、嵩上げシート（３）の他の実施例を示しており、変形吸収隙間（３１）を形成した面とは反対側の面に接着剤層（３６）を形成し、該接着剤層（３６）に剥離可能にカバーフィルム（３４）を貼着している。
カバーフィルム（３４）を剥がして嵩上げシート（３）を刷版本体（２）に簡単に貼り付けできる。
【００２２】
図６の嵩上げシート（３）の接着剤層（３６）及びカバーフィルム（３４）を省略し、嵩上げシートを、刷版本体（２）から独立させておき、該嵩上げシートを版胴（４）にセットしてから、該嵩上げシートに刷版本体（２）を被せる様にセットすることもできる。
【００２３】
尚、実施例では、刷版本体（２）の最大厚みを３ｍｍ、嵩上げシート（３）の厚みを４ｍｍ、即ち、刷版（１）の厚みは７ｍｍとしたが、刷版（１）の厚みや、刷版本体（２）と嵩上げシート（３）の厚みの比率は、これに限定されるものではない。
【００２４】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【図１】刷版を構成する刷版本体と嵩上げシートの斜面図である。
【図２】刷版の部分側面図である。
【図３】嵩上げシートの部分斜面図である。
【図４】嵩上げシートの第２実施例の部分斜面図である。
【図５】嵩上げシートの第３実施例の部分斜面図である。
【図６】嵩上げシートの他の実施例の斜面図である。
【図７】従来の嵩上げシートの使用説明図である。
【図８】版胴にセットした版胴、圧胴及び段ボールの関係を示す説明図である。
【符号の説明】
（１）    刷版
（２）    刷版本体
（２１）  マウントフィルム
（２２）  印版
（３）    嵩上げシート
（３１）  変形吸収隙間
（４）    版胴
【図１】
2004223863.tif 000003
【図２】
2004223863.tif 000004
【図３】
2004223863.tif 000005
【図４】
2004223863.tif 000006
【図５】
2004223863.tif 000007
【図６】
2004223863.tif 000008
【図７】
2004223863.tif 000009
【図８】
2004223863.tif 000010